【事件の表示】
　特願２０１１−２１６２７４号「遊技機」拒絶査定不服審判事件〔平成２５年　４月２５日出願公開、特開２０１３−　７４９９１号〕について、次のとおり審決する。
【結　論】
　本件審判の請求は、成り立たない。
【理　由】
第１　手続の経緯
　本願は、平成２３年９月３０日の出願であって、平成２７年４月３０日付けで拒絶理由通知がなされ、平成２７年７月７日付けで意見書及び手続補正書が提出されたが、平成２７年１０月２０日付け（発送日：平成２７年１１月１０日）で拒絶査定がなされ、これに対し平成２８年２月１０日付けで拒絶査定不服審判の請求がなされるとともに手続補正がなされたものである。
第２　平成２８年２月１０日付けの手続補正についての補正却下の決定
［補正却下の決定の結論］
　平成２８年２月１０日付けの手続補正を却下する。
［理由］
１　補正の概要
　平成２８年２月１０日付けの手続補正（以下、「本件補正」という。）は、特許請求の範囲の請求項１の記載の補正を含む補正であり、特許請求の範囲の請求項１は、
　補正前（平成２７年７月７日付け手続補正）の
「発射手段により遊技領域に発射された遊技球が前記遊技領域内の始動領域に進入したことを条件として、遊技者に有利な特別遊技を実行するか否かの抽選を行う遊技機において、
　有価媒体を所定の換算値に基づいて遊技球の球数に換算可能な換算手段と、
　前記換算手段により換算された遊技球の球数から、当該遊技球の球数よりも少なく設定された所定の球数を前記発射手段で発射可能となる遊技球の球数に置換する置換手段と、
　前記換算手段により換算された遊技球の球数及び前記置換手段により置換された遊技球の球数を表示する表示手段と、
　前記置換手段により置換された遊技球の球数に基づいて、当該遊技球の球数を遊技球により視覚的に示す貯球感演出部と、を備えたこと、
　を特徴とする遊技機。」
　から、
　補正後（本件補正：平成２８年２月１０日付けの手続補正）の
「Ａ　発射手段により遊技領域に発射された遊技球が前記遊技領域内の始動領域に進入したことを条件として、遊技者に有利な特別遊技を実行するか否かの抽選を行う遊技機において、
Ｂ　有価媒体を所定の換算値に基づいて遊技球の球数に換算可能な換算手段と、
Ｃ　前記換算手段により換算された遊技球の球数から、当該遊技球の球数よりも少なく設定された所定の球数を前記発射手段で発射可能となる遊技球の球数に置換する置換手段と、
Ｄ　前記換算手段により換算された遊技球の球数及び前記置換手段により置換された遊技球の球数を表示する表示手段と、
Ｅ　前記置換手段により置換された遊技球の球数に基づいて、
上下方向に複数配置された陳列棚において遊技球を陳列させるように制御することにより、
を視
　を特徴とする遊技機。」
へ補正された（下線部は補正箇所を示す。ただし、記号Ａ〜Ｅは分説するため当審にて付した。）。
２　補正の適否
（１）補正の目的
　本件補正により「貯球感演出部」について、「当該遊技球の球数を遊技球により視覚的に示す」が「
上下方向に複数配置された陳列棚において遊技球を陳列させるように制御することにより、
を視
　したがって、当該補正は、特許法第１７条の２第５項第２号に掲げる特許請求の範囲の減縮を目的とするものである。
（２）新規事項
　願書に最初に添付した明細書の段落【０１１７】には、「この球陳列部７１は、透明に形成され遊技球を収納するケース７１ａと、このケース７１ａ内に上下方向に並んで複数配置され、遊技球を載せて陳列する陳列棚７１ｂと、を有している。」と記載され、段落【０２７０】には、「ここで、出球・貯球感制御部７００は、ＣＰＵ５０１で更新したプレイ球数に基づいて、出球感演出部の駆動部７１４及び貯球感演出部の駆動部７１２の駆動処理を行う。」と記載されているので、「
上下方向に複数配置された陳列棚において遊技球を陳列させるように制御することにより、
を視
　したがって、本件補正は、特許法第１７条の２第３項の規定に適合する。
３　独立特許要件
　補正後の請求項１に記載された発明（以下、「本件補正発明」という。）が特許出願の際に独立して特許を受けることができるものであるか否か（特許法第１７条の２第６項において準用する同法第１２６条第７項の規定に適合するか否か）を検討する。
（１）本件補正発明
　本件補正発明は、上記１に記載したとおりのものである。
（２）刊行物
（２−１）刊行物１
　本願の出願日前に頒布された刊行物である特開平９−３０８７５６号公報（以下、「刊行物１」という。）には、図面と共に次の事項が記載されている（下線は審決にて付した。以下、同じ。）。
ア　「【０００５】
【発明の実施の形態】つぎに本発明を例えば
封入式のパチンコ台
カード挿入口４より挿入されたカードに記録されている情報に基づき許容範囲内において遊技者側から指定された貸玉数に応じたパチンコ玉を弾発装置（図示せず）側に順次供給し、弾発されて前記パチンコ遊技面部２に送り出されたパチンコ玉がそのパチンコ遊技面部２の入賞孔や入賞装置、排出口に入って
パチンコ玉が通る道筋となる前記循環経路における前記弾発装置での打数、入賞孔や入賞装置への入賞数、遊技者側が指定した貸玉数などの情報が制御部６に送り出され、この制御部６において従来の返却玉の総数に対応する出玉情報を数値として、例えば、前記遊技面部２の一部分に設けた表示部７に表示するようにしている。
イ　「【０００６】また、さらに上記パチンコ台１にあっては、パチンコ台５の上方に複数の表示体８（例えばランプ）を放射状に配置してなる表示装置９が設けられている。
この表示装置９は上記制御部６から出力される出玉情報などの各種情報に基づいて前記表示体８が段階的に表示動作するものであり、
出玉情報が概略的に、かつ、視覚的に分かり易く表示されるようにしている。
大当りしたような場合
ウ　刊行物１の図１、図２には、
表示体８は、パチンコ台の上部に扇形に配置されている
エ　上記アの「カード挿入口４より挿入されたカードに記録されている情報に基づき許容範囲内において遊技者側から指定された貸玉数に応じたパチンコ玉を弾発装置側に順次供給し」との記載より、このように貸玉数に応じたパチンコ玉を順次供給する手段がパチンコ台に備えられていることは明らかである。したがって、刊行物１には、「
カード挿入口４より挿入されたカードに記録されている情報に基づき許容範囲内において遊技者側から指定された貸玉数に応じたパチンコ玉を弾発装置側に順次供給する手段
　上記ア、イの記載事項、及び、上記ウ、エの認定事項より、刊行物１には、次の発明（以下、「引用発明１」という。）が記載されていると認められる（記号ａ〜ｅは、本件補正発明のＡ〜Ｅに対応させて付した。ただし、本件補正発明のＢに対応する構成がないため、ｂは付していない。）。
「ａ　弾発装置側に順次供給され、弾発されてパチンコ遊技面部２に送り出されたパチンコ玉がそのパチンコ遊技面部２の入賞孔や入賞装置、排出口に入り、また、大当りする場合がある封入式のパチンコ台において、（ア、イ）
ｃ　カード挿入口４より挿入されたカードに記録されている情報に基づき許容範囲内において遊技者側から指定された貸玉数に応じたパチンコ玉を弾発装置側に順次供給する手段と、（エ）
ｄ　パチンコ玉が通る道筋となる循環経路における弾発装置での打数、入賞孔や入賞装置への入賞数、遊技者側が指定した貸玉数などの情報が制御部６に送り出され、この制御部６において従来の返却玉の総数に対応する出玉情報を数値として表示する遊技面部２の一部分に設けた表示部７と、（ア）
ｅ　制御部６から出力される出玉情報などの各種情報に基づいて、パチンコ台の上部に扇形に配置されている表示体８が段階的に表示動作するもので、出玉情報を概略的に、かつ、視覚的に分かり易く表示する表示装置９と、を備えた（イ、ウ）
　封入式のパチンコ台。」
（２−２）刊行物２
　本願の出願日前に頒布された刊行物である特開２０００−１６７２１８号公報（以下、「刊行物２」という。）には、図面と共に次の事項が記載されている。
ア　「【００１６】本実施例において用いた遊技用装置は、図１に示すように、遊技場内に設置された遊技島１に所定の台数が並設されて使用され、該遊技用装置は、遊技媒体であるパチンコ玉が封入された
封入式パチンコ台
各パチンコ台２毎に１対１にて配置されたカードユニット３
イ　「【００１８】この操作部３２の上面には、図４に示すように遊技者により前記カードユニット３に設けられた後述するＩＣカード挿入口７に挿入された記録媒体である
ＩＣカード３７より読み出された
有価価値情報である度数データに基づく度数を表示する度数表示部１０３と、その時点において遊技者が所持する持ち点合計（合計得点）が表示される合計得点表示部１０４と、遊技の開始または前記合計得点が「０」になった際に押圧操作されて、前記度数表示部１０３に残度数が存在する場合に所定の大きさの得点の貸出を行う貸出ボタン１０１
ウ　「【００２７】前記
遊技領域１７に打込まれた打玉が始動口１９に入賞すれば、可変表示装置１８で図柄の可変表示が開始される。そして、可変表示装置１８の可変表示結果が予め定められた特定の表示態様（たとえば７７７）となればいわゆる大当りが発生する。
エ　「【００３５】この本実施例の
カードユニット３の構成
投入された合計金額に該当する度数と前記特定された度数とが合算処理されて算出された新たな度数の大きさを特定可能
オ　「【００９５】また、本実施例では、
有価価値の形態として度数を用いているが、
パチンコ玉数
としても良く
カ　上記アの「各パチンコ台２毎に１対１にて配置されたカードユニット３」との記載より、カードユニット３はパチンコ台２に備えられているといえる。
キ　上記イの「遊技の開始または前記合計得点が「０」になった際に押圧操作されて、前記度数表示部１０３に残度数が存在する場合に所定の大きさの得点の貸出を行う貸出ボタン１０１」との記載より、貸出ボタン１０１が押圧操作されると、貸出の処理を行う手段が備えられていることは明らかであるので、刊行物２には、「
遊技の開始または合計得点が「０」になった際に貸出ボタン１０１が押圧操作されると、度数表示部１０３に残度数が存在する場合に所定の大きさの得点の貸出を行う手段
　上記ア〜オの記載事項、及び、上記カ、キの認定事項より、刊行物２には、次の発明（以下、「引用発明２」という。）が記載されていると認められる。
「遊技領域１７に打込まれた打玉が始動口１９に入賞すれば、可変表示装置１８で図柄の可変表示が開始され、可変表示装置１８の可変表示結果が予め定められた特定の表示態様となればいわゆる大当りが発生する封入式パチンコ台において、（ア、ウ）
　投入された合計金額に該当する度数と特定された度数とが合算処理されて算出された新たな度数の大きさを特定可能なカードユニット３と、（エ、カ）
　遊技の開始または合計得点が「０」になった際に貸出ボタン１０１が押圧操作されると、度数表示部１０３に残度数が存在する場合に所定の大きさの得点の貸出を行う手段と、（キ）
　ＩＣカード３７より読み出された有価価値情報である度数データに基づく度数を表示する度数表示部１０３と、その時点において遊技者が所持する持ち点合計（合計得点）が表示される合計得点表示部１０４と、を備え、（イ）
　有価価値の形態を度数に替えて、パチンコ玉数としても良い（オ）
　封入式パチンコ台。」
（２−３）刊行物３
　本願の出願日前に頒布された刊行物である特開２０１１−５０５５１号公報（以下、「刊行物３」という。）には、図面と共に次の事項が記載されている。
ア　「【請求項１】
　
遊技機の隣に設置され、当該遊技機における出玉を計数する計数機を備え、
　出玉と同種で出玉自身ではない別の遊技媒体を収容することで出玉状況を表示する透明容器と、
　
前記計数機による出玉の計数情報に基づき、遊技者の出玉の数を示す現出玉数に応じた数の前記別の遊技媒体を前記透明容器に収容させた状態とするように、前記別の遊技媒体を、前記透明容器に対して投入、および、前記透明容器から排出することで、前記遊技機の出玉状況を表示させる表示出玉制御手段
  を備えることを特徴とする
出玉表示ユニット
イ　「【０００４】
  その対策として、例えば、遊技機ごとに設けられた出玉計数機によって出玉を計数してから回収し、さらに、
出玉の玉箱数に応じて遊技機の上部に設置した扇形の表示部の一部または全部を出玉表示機によって点滅表示させる遊技システムが提案されている
・・・
【０００６】
　しかしながら、特許文献１や特許文献２に開示されている遊技システムでは、
遊技場内外の者に対する出玉に関するアピール度が弱い、つまり、遊技場への集客効果が弱いという問題があった。
【０００７】
　そこで、本発明は、前記問題を解決するためになされたものであり、遊技機間のスペースに設置でき、他の装置を包含しつつ、
遊技機の出玉状況の表示によるアピール度を従来よりも増した出玉表示ユニットを提供すること
ウ　「【００２４】
　
透明容器２３は、
合計八段（上五段と下三段）に積み重ねられている。
エ　「【００２８】
　ここで、図２（ｂ）に示すように、玉分岐手段２２２１には、遊技場内で循環されている玉６が、玉搬送管２４１を介して常時補給されている。玉分岐手段２２２１は、ＣＰＵなどにより構成される制御部２２０からの指示を受けて、玉運搬管２４２を介して
最上段の透明容器２３に玉６を投入する。最上段の透明容器２３に投入された玉６は、孔２３４を通過して、下方の透明容器２３に移動し、複数の透明容器２３には下から順番に玉６が蓄積されていくことになる。
　上記ア〜エの記載事項より、刊行物３には、以下の技術事項（以下、「刊行物３に記載の技術事項」という。）が記載されていると認められる。
「遊技機の隣に設置され、当該遊技機における出玉を計数する計数機を備え、前記計数機による出玉の計数情報に基づき、遊技者の出玉の数を示す現出玉数に応じた数の別の遊技媒体を透明容器に収容させた状態とするように、別の遊技媒体を、前記透明容器に対して投入、および、前記透明容器から排出することで、遊技機の出玉状況を表示させる表示出玉制御手段を備え、（ア）
　透明容器２３は、合計八段に積み重ねられており、（ウ）
　最上段の透明容器２３に玉６を投入すると、投入された玉６は、孔２３４を通過して、下方の透明容器２３に移動し、複数の透明容器２３には下から順番に玉６が蓄積されていく（エ）
　出玉表示ユニット。」
（３）対比・判断
　本件補正発明と引用発明とを分説にしたがい対比する。
　
（ａ）引用発明１の「弾発装置」、「パチンコ遊技面部２」、「パチンコ玉」、「大当り」、「封入式のパチンコ台」は、それぞれ、本件補正発明の「発射手段」、「遊技領域」、「遊技球」、「特別遊技」、「遊技機」に相当する。
　また、「大当り」を発生させるのに、いずれかの「入賞孔」に設けた始動領域に遊技球が進入したことを条件として抽選を行うことは、例示するまでもなく、遊技機の分野における技術常識であるところ、引用発明１は、「パチンコ玉がそのパチンコ遊技面部２の入賞孔や入賞装置、排出口に入り、また、大当りする場合がある」ので、実質的に、「入賞孔」の内部の始動領域に遊技球が進入したことを条件として大当りを実行するかの抽選を行うものであるといえる。
　したがって、引用発明１の「弾発装置側に順次供給され、弾発されてパチンコ遊技面部２に送り出されたパチンコ玉がそのパチンコ遊技面部２の入賞孔や入賞装置、排出口に入り、また、大当りする場合がある封入式のパチンコ台」は、本件補正発明の「発射手段により遊技領域に発射された遊技球が前記遊技領域内の始動領域に進入したことを条件として、遊技者に有利な特別遊技を実行するか否かの抽選を行う遊技機」に相当する。
（ｂ）対応する構成がないため、後述の相違点とする。
（ｃ）引用発明１の「遊技者側から指定された貸玉数」は、本件補正発明の「所定の球数」に相当する。また、引用発明１の「貸玉数」は、その数に応じたパチンコ玉が弾発装置側に順次供給されるので、「カードに記録されている情報」から「発射手段で発射可能となる遊技球の球数」に置換されているといえる。
　したがって、引用発明１の「カード挿入口４より挿入されたカードに記録されている情報に基づき許容範囲内において遊技者側から指定された貸玉数に応じたパチンコ玉を弾発装置側に順次供給する手段」は、本件補正発明の「前記換算手段により換算された遊技球の球数から、当該遊技球の球数よりも少なく設定された所定の球数を前記発射手段で発射可能となる遊技球の球数に置換する置換手段」と、「所定の球数を前記発射手段で発射可能となる遊技球の球数に置換する置換手段」の点で共通する。
（ｄ）引用発明１の「表示部７」に表示される「出玉情報」は、「弾発装置での打数」、「入賞数」、「貸玉数」などの情報から算出されるものであり、例えば、遊技開始時に貸玉の払い出しを受けた場合、その球数が「出玉情報」となることは明らかである。
　そうすると、引用発明１の「出玉情報」は、本件補正発明の「置換手段により置換された遊技球の球数」になる場合があるので、当該「出玉情報」を表示する「表示部７」は、本件補正発明の「前記置換手段により置換された遊技球の球数を表示する表示手段」に相当するといえる。
　したがって、引用発明１の「パチンコ玉が通る道筋となる循環経路における弾発装置での打数、入賞孔や入賞装置への入賞数、遊技者側が指定した貸玉数などの情報が制御部６に送り出され、この制御部６において従来の返却玉の総数に対応する出玉情報を数値として表示する遊技面部２の一部分に設けた表示部７」と、本件補正発明の「前記換算手段により換算された遊技球の球数及び前記置換手段により置換された遊技球の球数を表示する表示手段」とは、「前記置換手段により置換された遊技球の球数を表示する表示手段」の点で共通する。
（ｅ）引用発明１の「出玉情報」は、構成ｄより、「弾発装置での打数」、「入賞数」、「貸玉数」などの情報から算出されるので、「貸玉数」に基づいているといえる。
　そうすると、引用発明１の「表示装置９」は、「パチンコ台の上部に扇形に配置されている表示体８が段階的に表示動作」することで、「出玉情報を概略的に、かつ、視覚的に分かり易く表示する」ものであるから、「貸玉数」（本件補正発明の「置換手段により置換された遊技球の球数」に相当）に基づいて、遊技球の球数を視覚的に示すものといえる。
　したがって、引用発明１の「制御部６から出力される出玉情報などの各種情報に基づいて、パチンコ台の上部に扇形に配置されている表示体８が段階的に表示動作するもので、出玉情報を概略的に、かつ、視覚的に分かり易く表示する表示装置９」は、本件補正発明の「前記置換手段により置換された遊技球の球数に基づいて、上下方向に複数配置された陳列棚において遊技球を陳列させるように制御することにより、当該遊技球の球数を視覚的に示す貯球感演出部」と、「前記置換手段により置換された遊技球の球数に基づいて、当該遊技球の球数を視覚的に示す貯球感演出部」の点で共通する。
　上記（ａ）〜（ｅ）の検討より、本件補正発明と引用発明１とは、次の点で一致している。
「Ａ　発射手段により遊技領域に発射された遊技球が前記遊技領域内の始動領域に進入したことを条件として、遊技者に有利な特別遊技を実行するか否かの抽選を行う遊技機において、
Ｃ’所定の球数を前記発射手段で発射可能となる遊技球の球数に置換する置換手段と、
Ｄ’前記置換手段により置換された遊技球の球数を表示する表示手段と、
Ｅ’前記置換手段により置換された遊技球の球数に基づいて、当該遊技球の球数を視覚的に示す貯球感演出部と、を備えた
　遊技機。」
　そして、本件補正発明と引用発明１は、次の点で相違している。
（相違点１）
　本件補正発明は、有価媒体を所定の換算値に基づいて遊技球の球数に換算可能な換算手段を備えるのに対し、引用発明は、この構成について特定されていない点。（Ｂ）
（相違点２）
　所定の球数を発射手段で発射可能となる遊技球の球数に置換する置換手段に関して、本件補正発明は、換算手段により換算された遊技球の球数から、当該遊技球の球数よりも少なく設定された球数を置換するのに対し、引用発明は、換算手段により換算された遊技球の球数から置換するか否か不明である点。（Ｃ）
（相違点３）
　表示手段に関して、本件補正発明は、換算手段により換算された遊技球の球数を表示するのに対し、引用発明は、換算手段により換算された遊技球の球数は表示しない点。（Ｄ）
（相違点４）
　貯球感演出部に関して、本件補正発明は、上下方向に複数配置された陳列棚において遊技球を陳列させるように制御するのに対し、引用発明は、この構成を備えない点。（Ｅ）
　上記相違点１〜３は、いずれも「換算手段」の有無に起因する点で、互いに関連しているので、まとめて検討する。
　上記（２−２）に記載したとおり、引用発明２は、次のとおりのものである。
「遊技領域１７に打込まれた打玉が始動口１９に入賞すれば、可変表示装置１８で図柄の可変表示が開始され、可変表示装置１８の可変表示結果が予め定められた特定の表示態様となればいわゆる大当りが発生する封入式パチンコ台において、
　投入された合計金額に該当する度数と特定された度数とが合算処理されて算出された新たな度数の大きさを特定可能なカードユニット３と、
　遊技の開始または合計得点が「０」になった際に貸出ボタン１０１が押圧操作されると、度数表示部１０３に残度数が存在する場合に所定の大きさの得点の貸出を行う手段と、
　ＩＣカード３７より読み出された有価価値情報である度数データに基づく度数を表示する度数表示部１０３と、その時点において遊技者が所持する持ち点合計（合計得点）が表示される合計得点表示部１０４と、を備え、
　有価価値の形態を度数に替えて、パチンコ玉数としても良い
　封入式パチンコ台。」
　ここで、第一に、引用発明２は、「投入された合計金額に該当する度数」と「特定された度数」を合算処理し「新たな度数」とするものであり、また、「有価価値の形態を度数に替えて、パチンコ玉数としても良い」ものなので、「投入された合計金額」（本件補正発明の「有価媒体」に相当）をパチンコ玉数に換算可能といえる。
　第二に、引用発明２は、「残度数が存在する場合に所定の大きさの得点の貸出を行う」ものであり、「有価価値の形態を度数に替えて、パチンコ玉数」とした場合、「投入された合計金額」から換算された「パチンコ玉数」よりも少ない範囲で、「所定の大きさの得点の貸出」を可能とすることは明らかである。そして、「貸出」された「パチンコ玉数」は、発射可能となることは技術常識であるので、「発射可能となる遊技球の球数」に「置換」されるものといえる。
　第三に、引用発明２は、度数を表示する度数表示部１０３を備えており、「有価価値の形態を度数に替えて、パチンコ玉数」とした場合、「投入された合計金額」から換算された「パチンコ玉数」が表示されることは明らかである。
　そして、引用発明１と引用発明２は、共に、発射可能な球数等を表示する封入式のパチンコ台という点で共通しているので、引用発明１に、引用発明２を組合わせて、有価媒体を所定の換算値に基づいて遊技球の球数に換算可能な換算手段を設け、換算手段により換算された遊技球の球数から、当該遊技球の球数よりも少なく設定された所定の球数を発射可能な球数に置換するものとし、換算手段により換算された遊技球の球数を表示するようにして、上記相違点１〜３に係る本件補正発明の構成とすることは、当業者であれば容易に想到し得たことである。
　次に、上記相違点４について検討する。
　刊行物３には、「遊技機の隣に設置され、当該遊技機における出玉を計数する計数機を備え、前記計数機による出玉の計数情報に基づき、遊技者の出玉の数を示す現出玉数に応じた数の別の遊技媒体を透明容器に収容させた状態とするように、別の遊技媒体を、前記透明容器に対して投入、および、前記透明容器から排出することで、遊技機の出玉状況を表示させる表示出玉制御手段を備え、
　透明容器２３は、合計八段に積み重ねられており、
　最上段の透明容器２３に玉６を投入すると、投入された玉６は、孔２３４を通過して、下方の透明容器２３に移動し、複数の透明容器２３には下から順番に玉６が蓄積されていく出玉表示ユニット。」という技術事項が記載されている。
　ここで、刊行物３は、「出玉の玉箱数に応じて遊技機の上部に設置した扇形の表示部の一部または全部を出玉表示機によって点滅表示させる遊技システムが提案されているが、遊技場内外の者に対する出玉に関するアピール度が弱く、遊技場への集客効果が弱いという問題があったので、遊技機の出玉状況の表示によるアピール度を従来よりも増した出玉表示ユニットを提供すること」（上記（２−３）イ参照）を課題としているところ、引用発明は、「パチンコ台の上部に扇形に配置されている表示体８」により「出玉情報を概略的に、かつ、視覚的に分かり易く表示する表示装置９」を備えたものである。
　そうすると、刊行物３に記載の技術事項は、引用発明１の「表示装置９」のような出玉表示ユニットを改良するために提案されたものといえるから、引用発明１の「表示装置９」における「表示体８」として、刊行物３に記載の合計八段に積み重ねられた透明容器２３からなる出玉表示ユニットを適用し、上下方向に複数配置された陳列棚において遊技球を陳列させるように制御して、上記相違点４に係る本件補正発明の構成とすることは、当業者であれば容易に想到し得たことである。
　また、本件補正発明の効果は、引用発明１、２、及び、刊行物３に記載の技術事項から予測される範囲内のものにすぎず、格別なものではない。
（４）小括
　上記（３）において検討したとおり、本件補正発明は、当業者が引用発明１、２、及び、刊行物３に記載の技術事項にもとづいて容易に発明をすることができたものであるから、特許法第２９条第２項の規定により、特許出願の際独立して特許を受けることができない。
　
４　むすび
　上記３において検討したことからみて、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１　本願発明
　本件補正は上記のとおり却下されたので、本願の請求項１に係る発明（以下、「本願発明」という。）は、平成２７年７月７日付け手続補正書の特許請求の範囲の請求項１に記載された事項により特定される次のとおりのものである。ただし、記号Ａ．〜Ｅ．は分説するため当審にて付した。
「Ａ．発射手段により遊技領域に発射された遊技球が前記遊技領域内の始動領域に進入したことを条件として、遊技者に有利な特別遊技を実行するか否かの抽選を行う遊技機において、
Ｂ．有価媒体を所定の換算値に基づいて遊技球の球数に換算可能な換算手段と、
Ｃ．前記換算手段により換算された遊技球の球数から、当該遊技球の球数よりも少なく設定された所定の球数を前記発射手段で発射可能となる遊技球の球数に置換する置換手段と、
Ｄ．前記換算手段により換算された遊技球の球数及び前記置換手段により置換された遊技球の球数を表示する表示手段と、
Ｅ．前記置換手段により置換された遊技球の球数に基づいて、当該遊技球の球数を遊技球により視覚的に示す貯球感演出部と、を備えたこと、
　を特徴とする遊技機。」
２　刊行物
（１）上記「第２　３（２）（２−２）」に記載したとおり、原査定の拒絶の理由において提示された刊行物２には、次の引用発明２が記載されている。ただし、記号ａ．〜ｄ．は、本願発明のＡ．〜Ｄ．に対応させて付した。
「ａ．遊技領域１７に打込まれた打玉が始動口１９に入賞すれば、可変表示装置１８で図柄の可変表示が開始され、可変表示装置１８の可変表示結果が予め定められた特定の表示態様となればいわゆる大当りが発生する封入式パチンコ台において、
ｂ．投入された合計金額に該当する度数と特定された度数とが合算処理されて算出された新たな度数の大きさを特定可能なカードユニット３と、
ｃ．遊技の開始または合計得点が「０」になった際に貸出ボタン１０１が押圧操作されると、度数表示部１０３に残度数が存在する場合に所定の大きさの得点の貸出を行う手段と、
ｄ．ＩＣカード３７より読み出された有価価値情報である度数データに基づく度数を表示する度数表示部１０３と、その時点において遊技者が所持する持ち点合計（合計得点）が表示される合計得点表示部１０４と、を備え、
　有価価値の形態を度数に替えて、パチンコ玉数としても良い
　封入式パチンコ台。」
３　対比・判断
　本願発明と引用発明２とを分説にしたがい対比する。
（ａ）引用発明２の「打玉」、「始動口１９」、「大当り」は、それぞれ、本願発明の「発射された遊技球」、「始動領域」、「特別遊技」に相当する。
　また、引用発明２の「可変表示装置１８の可変表示結果」が「抽選」に基づくことは遊技機の分野における技術常識である。
　したがって、引用発明２の「遊技領域１７に打込まれた打玉が始動口１９に入賞すれば、可変表示装置１８で図柄の可変表示が開始され、可変表示装置１８の可変表示結果が予め定められた特定の表示態様となればいわゆる大当りが発生する封入式パチンコ台」は、本願発明の「発射手段により遊技領域に発射された遊技球が前記遊技領域内の始動領域に進入したことを条件として、遊技者に有利な特別遊技を実行するか否かの抽選を行う遊技機」に相当する。
（ｂ）引用発明２は、「投入された合計金額に該当する度数」と「特定された度数」を合算処理し「新たな度数」とするものであり、また、「有価価値の形態を度数に替えて、パチンコ玉数としても良い」ものなので、「投入された合計金額」（本件補正発明の「有価媒体」に相当）をパチンコ玉数に換算可能といえる。
　そうすると、引用発明２の「カードユニット３」は、本願発明の「換算手段」の機能を有しているといえる。
　したがって、引用発明２の「投入された合計金額に該当する度数と特定された度数とが合算処理されて算出された新たな度数の大きさを特定可能なカードユニット３」は、本願発明の「有価媒体を所定の換算値に基づいて遊技球の球数に換算可能な換算手段」に相当する。
（ｃ）引用発明２は、「残度数が存在する場合に所定の大きさの得点の貸出を行う」ものであり、「有価価値の形態を度数に替えて、パチンコ玉数」とした場合、「投入された合計金額」から換算された「パチンコ玉数」よりも少ない範囲で、「所定の大きさの得点の貸出」を可能とすることは明らかである。そして、「貸出」された「パチンコ玉数」は、発射可能となることは技術常識であるので、「発射可能となる遊技球の球数」に「置換」されるものといえる。
　
　したがって、引用発明２の「遊技の開始または合計得点が「０」になった際に貸出ボタン１０１が押圧操作されると、度数表示部１０３に残度数が存在する場合に所定の大きさの得点の貸出を行う手段」は、本願発明の「前記換算手段により換算された遊技球の球数から、当該遊技球の球数よりも少なく設定された所定の球数を前記発射手段で発射可能となる遊技球の球数に置換する置換手段」に相当する。
（ｄ）引用発明２は、度数を表示する度数表示部１０３を備えており、「有価価値の形態を度数に替えて、パチンコ玉数」とした場合、「投入された合計金額」から換算された「パチンコ玉数」が表示されるものといえる。
　また、引用発明２は、「その時点において遊技者が所持する持ち点合計（合計得点）が表示される合計得点表示部１０４」を備えており、「貸出」された（本願発明の「発射可能となる遊技球の球数」への「置換」に相当）球数が持ち点合計として「合計得点表示部１０４」に表示されることは明らかである。
　
　したがって、引用発明２の「ＩＣカード３７より読み出された有価価値情報である度数データに基づく度数を表示する度数表示部１０３と、その時点において遊技者が所持する持ち点合計（合計得点）が表示される合計得点表示部１０４」は、本願発明の「前記換算手段により換算された遊技球の球数及び前記置換手段により置換された遊技球の球数を表示する表示手段」に相当する。
　以上より、本願発明と引用発明２とは、次の点で一致している。
「Ａ．発射手段により遊技領域に発射された遊技球が前記遊技領域内の始動領域に進入したことを条件として、遊技者に有利な特別遊技を実行するか否かの抽選を行う遊技機において、
Ｂ．有価媒体を所定の換算値に基づいて遊技球の球数に換算可能な換算手段と、
Ｃ．前記換算手段により換算された遊技球の球数から、当該遊技球の球数よりも少なく設定された所定の球数を前記発射手段で発射可能となる遊技球の球数に置換する置換手段と、
Ｄ．前記換算手段により換算された遊技球の球数及び前記置換手段により置換された遊技球の球数を表示する表示手段と、を備えたこと、
　を特徴とする遊技機。」
　そして、本願発明と引用発明２とは、Ｅ．に関する次の点で相違している。
（相違点）
　本願発明は、置換手段により置換された遊技球の球数に基づいて、当該遊技球の球数を遊技球により視覚的に示す貯球感演出部を備えるのに対し、引用発明２は、この構成を備えない点。
　上記相違点について検討する。
　遊技機の技術分野において、発射可能な遊技球により、その球数を視覚的に示す演出部を設けることは、例えば、実願昭５４−１０７２２号（実開昭５５−１１２５８３号）のマイクロフィルム（第４頁第１２〜１６行、第６頁第５〜１２行、第１図、第２図参照）、特開２００８−１８３１４７号公報（段落【００４８】、【００４９】、図５参照）及び特開昭５５−１９１４７号公報（第２頁右上欄第１７行〜同頁左下欄第４行、第１ａ図参照）に示されるように、本願の出願日前における周知技術である。
　そして、引用発明２の発射可能な球に対して、上記周知技術を適用して、置換手段により置換された遊技球の球数に基づいて、当該遊技球の球数を遊技球により視覚的に示す貯球感演出部として、上記相違点に係る本願発明の構成とすることは、当業者であれば容易に想到し得たことである。
　したがって、本願発明は、原査定の拒絶の理由において提示された刊行物２、及び、上記周知技術にもとづいて、当業者が容易に発明をすることができたものである。
　また、本願発明の効果は、引用発明２、及び、上記周知技術から予測される範囲内のものにすぎず、格別なものではない。
　
４　むすび
　以上のとおりであるから、本願発明は、特許法第２９条第２項の規定により特許を受けることができない。
　したがって、本願は、拒絶されるべきものである。
　
　よって、結論のとおり審決する。